(57)【要約】【課題】画像表示領域が非長方形で、駆動回路内蔵型の表示装置において、表示領域外側の、いわゆる額縁面積が少なく、かつ配線遅延が少ない表示装置を提供する。【解決手段】直交マトリクス状に配置した複数の画素と、前記複数の画素に接続された複数の走査配線と、前記複数の画素に接続され、前記複数の走査配線と直交マトリクス状に配置する複数の信号配線と、前記複数の信号配線を駆動する信号配線用内蔵回路と、を有する画像表示装置であり、前記複数の画素で構成される画像表示領域の外形は非長方形であり、前記信号配線用内蔵回路は前記信号配線の延伸方向に対して、前記画素の間隔単位で分離されている画像表示装置の構成をとる。【選択図】図４
2008051908.tif 000002
【特許請求の範囲】
【請求項１】
直交マトリクス状に配置した複数の画素と、
前記複数の画素に接続された複数の走査配線と、
前記複数の画素に接続され、前記複数の走査配線と直交マトリクス状に配置する複数の信号配線と、
前記複数の信号配線を駆動する信号配線用内蔵回路と、を有する画像表示装置であり、
前記複数の画素で構成される画像表示領域の外形は非長方形であり、
前記信号配線用内蔵回路は前記信号配線の延伸方向に対して、前記画素の間隔単位で分離されている
画像表示装置。
【請求項２】
前記画素の間隔単位で分離された信号配線用内蔵回路の間に、前記走査配線用の引出し配線が配置する
請求項１に記載の画像表示装置。
【請求項３】
前記信号配線用内蔵回路は前記信号配線の延伸方向に対して、前記画素の間隔単位でモジュール化されている
請求項１に記載の画像表示装置。
【請求項４】
前記モジュール化された信号配線用内蔵回路は、回路部と、前記回路部への入出力配線部と、前記入出力配線部を迂回する配線部と、前記迂回する配線とは別の配線を配置するための予約領域と、で構成される
請求項３に記載の画像表示装置。  
【請求項５】
前記モジュール化された信号配線用内蔵回路を、前記信号配線の延伸方向に対して複数個組み合わせて使用する
請求項３に記載の画像表示装置。
【請求項６】
前記信号配線の延伸方向に対する組み合わせの個数は、信号配線に接続された画素数に対応して可変である
請求項５に記載の画像表示装置。
【請求項７】
前記モジュール化された信号配線用内蔵回路を、前記走査配線の延伸方向に対して複数個組み合わせて使用する
請求項３に記載の画像表示装置。
【請求項８】
前記走査配線の延伸方向に対する組み合わせの個数は、前記走査配線の延伸方向における最大画素数に等しい
請求項７に記載の画像表示装置。
【請求項９】
前記信号配線用内蔵回路は、前記画像表示領域の外形に沿って配置される
請求項１に記載の画像表示装置。
【請求項１０】
直交マトリクス状に配置した複数の画素と、
前記複数の画素に接続された複数の走査配線と、
前記複数の画素に接続され、前記複数の走査配線と直交マトリクス状に配置する複数の信号配線と、
前記複数の信号配線を駆動する信号配線用内蔵回路と、を有する画像表示装置であり、
前記複数の画素は、直交マトリクスを形成する画素の行ごとに画素の列の数が異なる領域を有し、かつ直交マトリクスを形成する画素の列ごとに画素の行の数が異なる領域を有し、
前記信号配線用内蔵回路は前記信号配線の延伸方向に対して、前記画素の間隔単位で分離されている
画像表示装置。
【請求項１１】
前記画素の間隔単位で分離された信号配線用内蔵回路の間に、前記走査配線用の引出し配線が配置する
請求項１０に記載の画像表示装置。
【請求項１２】
前記信号配線用内蔵回路は前記信号配線の延伸方向に対して、前記画素の間隔単位でモジュール化されている
請求項１０に記載の画像表示装置。
【請求項１３】
前記モジュール化された信号配線用内蔵回路は、回路部と、前記回路部への入出力配線部と、前記入出力配線部を迂回する配線部と、前記迂回する配線とは別の配線を配置するための予約領域と、で構成される
請求項１２に記載の画像表示装置。
【請求項１４】
前記モジュール化された信号配線用内蔵回路を、前記信号配線の延伸方向に対して複数個組み合わせて使用する
請求項１２に記載の画像表示装置。
【請求項１５】
前記信号配線の延伸方向に対する組み合わせの個数は、信号配線に接続された画素数に対応して可変である
請求項１４に記載の画像表示装置。
【請求項１６】
前記モジュール化された信号配線用内蔵回路を、前記走査配線の延伸方向に対して複数個組み合わせて使用する
請求項１２に記載の画像表示装置。
【請求項１７】
前記走査配線の延伸方向に対する組み合わせの個数は、前記走査配線の延伸方向における最大画素数に等しい
請求項１６に記載の画像表示装置。
【請求項１８】
前記信号配線用内蔵回路は、前記画像表示領域の外形に沿って配置される
請求項１０に記載の画像表示装置。
【請求項１９】
直交マトリクス状に配置した複数の画素と、
前記複数の画素に接続された複数の走査配線と、
前記複数の画素に接続され、前記複数の走査配線と直交マトリクス状に配置する複数の信号配線と、
前記複数の走査配線を駆動する走査配線用内蔵回路と、を有する画像表示装置であり、
前記複数の画素で構成される画像表示領域の外形は非長方形であり、
前記走査配線用内蔵回路は前記走査配線の延伸方向に対して、前記画素の間隔単位で分離されている
画像表示装置。
【請求項２０】
前記複数の信号配線を駆動する信号配線用内蔵回路を有し、
前記信号配線用内蔵回路は前記信号配線の延伸方向に対して、前記画素の間隔単位で分離されている
請求項１９に記載の画像表示装置。
【発明の詳細な説明】
【技術分野】
【０００１】
本発明は液晶ディスプレイや有機ＥＬディスプレイなどの表示装置に関するものであり、表示部の外形が非長方形の表示装置に関するものである。
【背景技術】
【０００２】
従来の表示装置について、以下に説明する。
【０００３】
これまで、表示装置としてはＣＲＴが主流であったが、近年はその省スペース性や省電力性から、平面型表示装置であるアクティブマトリクス型の液晶表示装置(以下、ＬＣＤ)が普及しつつある。ＬＣＤは液晶の光透過性を利用した表示装置であり、自らは発光せず、背面にあるバックライトの光を透過―遮断及びその中間状態で制御することで階調表示する。また、同じ平面型表示装置である有機ＥＬも利用されはじめている。これらの平面型表示装置の適用製品はノートパソコンの画面やデスクトップパソコン用モニタが主であったが、近年、ＴＶ受信機や携帯電話の表示画面としても使用され始めている。なお、これらの機器に使用される表示装置としては、装置の表示側平面における表示領域比率は大きい方が好ましい。表示装置として機能するのは画像表示部分であり、それをとり囲む、いわゆる額縁部分は、表示するために必要な領域ではあるが、ユーザとしては不要な領域であり、デザイン的にも好ましくないからである。表示に寄与しない額縁部分を小さくすることは、表示する機能の効率がよいと言うことになる。
【０００４】
これまで多くの機器に使用されてきたＬＣＤは、機器ごとに額縁領域の狭小化を進めてきた。特にこれが顕著なのはノートパソコンである。当初のノートパソコンの額縁面積は非常に大きかったが、現在のノートパソコンの額縁面積は非常に小さくなってきている。
【０００５】
この額縁部分にはＬＣＤを表示するのに必要な配線や回路、及び半導体素子が配置されているのであるが、例えば、〔特許文献１〕では半導体素子間の配線パターンを効率的にすることで、狭額縁化、かつコスト低減していることが記載されている。また、〔特許文献２〕ではＬＣＤを駆動する回路の一部をパネル内に作りこんでおり、さらにその回路面積を小さくするためにＩＴＯ配線を用いていることで、更なる狭額縁化と歩留まり向上が可能になる旨が記載されている。
【０００６】
なお、液晶を用いた表示装置の例を記述したが、有機ＥＬ素子を用いた表示装置においても、同様な取り組みがなされている。
【０００７】
【特許文献１】特開平１１−３３７９６６号公報
【特許文献２】特開平１１−１９０８５７号公報
【発明の開示】
【発明が解決しようとする課題】
【０００８】
しかしながら、上記のような狭額縁化の取り組みは、主に画像表示領域が長方形の外形である表示装置について適用されるものである。表示装置の外形が長方形の表示装置においては、直交行列配置されている画素の直交方向に合わせた表示部の外形を形成することができる。
【０００９】
一方で、近年、外形が非長方形である表示装置についても検討がなされている。例えば、車のダッシュボードなどは非長方形であることが望ましく、楕円形やハート型の携帯電話があっても良いと思われる。このような非長方形である場合、直交行列配置されている画素の直交方向とは異なる角度で表示部外形が形成されることとなる。このため、画素表示部からの配線引出しと、内蔵駆動回路部が衝突するため、回路部を外側に配置しなければならず、額縁領域が大きくなる。
【００１０】
また、引出された配線は、内蔵駆動回路部を大きく迂回するように配置され、回路部の外側を通ることになるため、さらに額縁面積が大きくなるとともに、配線距離が長くなることから配線遅延が発生することになる。さらに、内蔵駆動回路部間を接続する配線を、回路部外側に配置することによって、さらに額縁面積が増大することがあり、配線を配置する余地が少なく設計が困難になる場合もありうる。
【００１１】
本発明の目的は、このような問題，課題を解決するものである。すなわち、本発明の目的は、画像表示領域が非長方形で、駆動回路内蔵型の表示装置において、表示領域外側の、いわゆる額縁面積が少なく、かつ配線遅延が少ない表示装置を提供し、また、それらの設計が容易な表示装置を提供することにある。
【課題を解決するための手段】
【００１２】
上記課題を解決するために、本発明では、直交マトリクス状に配置した複数の画素と、前記複数の画素に接続された複数の走査配線と、前記複数の画素に接続され、前記複数の走査配線と直交マトリクス状に配置する複数の信号配線と、前記複数の信号配線を駆動する信号配線用内蔵回路と、を有する画像表示装置であり、前記複数の画素で構成される画像表示領域の外形は非長方形であり、前記信号配線用内蔵回路は前記信号配線の延伸方向に対して、前記画素の間隔単位で分離されている画像表示装置の構成をとる。
【００１３】
ここで、画像表示領域の外形が非長方形であるとは、従来画像表示領域のように全ての角が９０度の四角形ではなく、菱形，湾曲したカーブを描いた形状、若しくは円形状，楕円形状等の外形であることを表す。
【００１４】
また、本発明の他の構成として、直交マトリクス状に配置した複数の画素と、前記複数の画素に接続された複数の走査配線と、前記複数の画素に接続され、前記複数の走査配線と直交マトリクス状に配置する複数の信号配線と、前記複数の信号配線を駆動する信号配線用内蔵回路と、を有する画像表示装置であり、前記複数の画素は、直交マトリクスを形成する画素の行ごとに画素の列の数が異なる領域を有し、かつ直交マトリクスを形成する画素の列ごとに画素の行の数が異なる領域を有し、前記信号配線用内蔵回路は前記信号配線の延伸方向に対して、前記画素の間隔単位で分離されている画像表示装置の構成をとる。
【００１５】
ここで、複数の画素は、直交マトリクスを形成する画素の行ごとに画素の列の数が異なる領域を有することとなるが、これは、外形が非長方形の画像表示領域にあわせて、画素領域も非長方形となるためである。直交マトリクスを形成する画素の列ごとに画素の行の数が異なる領域を有する点においても、同様の理由による。
【００１６】
更に本発明では、直交マトリクス状に配置した複数の画素と、前記複数の画素に接続された複数の走査配線と、前記複数の画素に接続され、前記複数の走査配線と直交マトリクス状に配置する複数の信号配線と、前記複数の走査配線を駆動する走査配線用内蔵回路と、を有する画像表示装置であり、前記複数の画素で構成される画像表示領域の外形は非長方形であり、前記走査配線用内蔵回路は前記走査配線の延伸方向に対して、前記画素の間隔単位で分離されている画像表示装置の構成をとる。
【００１７】
この構成では、走査配線用内蔵回路を有し、信号配線用内蔵回路ではなく、走査配線用内蔵回路を分離した構造を有する。尚、信号配線用内蔵回路，走査配線用内蔵回路双方の回路を画素の間隔単位で分離した構造を取ることもできる。
【００１８】
また、上記の各構成において、前記画素の間隔単位で分離された信号配線用内蔵回路の間に、前記走査配線用の引出し配線が配置する構成、前記信号配線用内蔵回路は前記信号配線の延伸方向に対して、前記画素の間隔単位でモジュール化されている構成、前記モジュール化された信号配線用内蔵回路は、回路部と、前記回路部への入出力配線部と、前記入出力配線部を迂回する配線部と、前記迂回する配線とは別の配線を配置するための予約領域と、で形成される構成、前記モジュール化された信号配線用内蔵回路を、前記信号配線の延伸方向に対して複数個組み合わせて使用する構成、前記信号配線の延伸方向に対する組み合わせの個数は、信号配線に接続された画素数に対応して可変である構成、前記モジュール化された信号配線用内蔵回路を、前記走査配線の延伸方向に対して複数個組み合わせて使用する構成、前記走査配線の延伸方向に対する組み合わせの個数は、前記走査配線の延伸方向における最大画素数に等しい構成、前記信号配線用内蔵回路は、前記画像表示領域の外形に沿って配置される構成、をとることにより、より高い効果を期待することができる。
【発明の効果】
【００１９】
本発明により、非長方外形の表示装置における額縁面積を小さくすることができるために、デザイン性良く、かつ機能効率の高い表示装置を提供することができる。
【発明を実施するための最良の形態】
【００２０】
本発明を実施するための最良の形態を以下に説明する。
【実施例１】
【００２１】
図１に表示部の外形が非長方形である表示装置の簡略図を示す。尚、図１では表示部を楕円形として表しているが、外形が非長方形である表示部の一例として表したものである。
【００２２】
図１の表示装置１００では、その画像表示領域である画素表示領域１０１の外形は楕円形となっており、表示装置１００におけるガラスの外形もまた楕円形となっている。なお本実施例における表示装置１００は液晶表示装置である。図１には図示されていないが、画素表示領域１０１において、画素は直交マトリクス状に配置されており、信号配線と走査配線も通常の液晶表示装置と同じように直交状に配置されている。信号配線は信号配線用内蔵回路１０４、及び信号配線用引出し配線１０３を介して、ドライバ１０２から駆動されており、走査配線は走査配線引出し配線１０５を介して直接ドライバ１０２から駆動されている。
【００２３】
ここで、図１では従来の液晶表示装置と異なり、画素表示領域１０１の外形が楕円形となっているために、信号配線用内蔵回路１０４等も画素表示領域１０１に隣接して湾曲した配置となる。このような配置における問題点を以下に詳細に説明する。
【００２４】
図２，図３は、図１で示した表示装置の形状に対し従来通りの信号配線内蔵回路を適用した構成を表したものであり、図１における画素表示領域１０１，信号配線用内蔵回路
１０４の湾曲配置部Ａの部分を拡大したものである。
【００２５】
図２の中央点線部よりも上側が信号配線用内蔵回路１０４であり、下側が画素表示領域１０１である。信号配線用内蔵回路領域１０４は従来型信号配線内蔵回路３５０で構成され、画素表示領域１０１は直交配置した複数の画素２００で構成される。ここで、画素表示領域１０１の外縁が画素２００の直交配置に対して傾いているために、画素配列が途中から１行減っている。なお、画素２００は通常の液晶表示装置と同じく、赤（Ｒ），緑
（Ｇ），青（Ｂ）の３サブ画素で構成されるおり、各サブ画素は、走査配線２０１，信号配線２０２，共通配線２０５に接続されている。
【００２６】
従来型信号配線内蔵回路３５０は回路領域３５１と入出力配線を接続するための配線
３５２で構成されており、入出力配線を接続するための配線３５２は、従来型信号配線内蔵回路３５０を横に隣接配置した場合に自動的に接続されるように構成されている。図示はされていないが、入出力配線を接続するための配線３５２には引出し配線を通じてドライバから情報が送られる。
【００２７】
ここで、画素２００が１行減って、従来型信号配線内蔵回路３５０もそれに追従して図２の下方向に移動した場合、入出力配線を接続するための配線３５２の接続が途絶えるために、入出力配線を接続するための配線３５２を接続するための配線３５３を新たに配置する必要がある。この配線３５３は画素２００の行が増減した場合、全ての場所で必要となる。また、図２で図示しているように、無くなる行の画素２００に接続されていた走査配線２０１１と共通配線２０５１を配置するためのスペースが必要となるため、画素200が１行減った場合でも、従来型信号配線内蔵回路３５０は、画素２００に隣接して配置することはできない。
【００２８】
図２は画素２００が１行だけ減った場合の画素表示領域周辺の図である。一方で、非長方形外形の表示装置では、図１に示した楕円状画素表示領域１０１の湾曲配置部Ａのように、画素２００が連続的に行数を減らしていくこともありえる。この場合の画素表示領域周辺図を図３に示す。
【００２９】
図３において、従来型信号配線内蔵回路３５０は信号配線用引出し配線１０３に接続されている。また図３の点線部は走査配線用引出し配線を示す。無くなる行の画素２００に接続されていた走査配線２０１や共通配線２０５は、従来型信号配線内蔵回路３５０の外に通じる隙間が無いため、画素２００と従来型信号配線内蔵回路３５０の間を、配線数を増やしながら通過することになる。そして、従来型信号配線内蔵回路３５０は、配線が占める幅だけ外側に配置せざるを得なくなる。
【００３０】
なお、図３内には信号配線２０２は記載していないが、画素２００から従来型信号配線内蔵回路３５０の間に信号配線２０２を配置する領域を考慮すると、画素２００と従来型信号配線内蔵回路３５０の間隔はさらに広がると考えられる。
【００３１】
また、走査配線２０１や共通配線２０５は、画素表示領域１０１の端部まで画素２００と従来型信号配線内蔵回路３５０の間を通過した後に、はじめて従来型信号配線内蔵回路３５０の外にでて、ドライバ１０２に接続する走査配線用引出し配線１０５となる。そのときの走査配線２０１や共通配線２０５の本数分の幅が、従来型信号配線内蔵回路３５０の外側に必要となるため、額縁の領域は非常に大きくなる。また、これらの配線は結果的に従来型信号配線内蔵回路３５０を大きく迂回した配置となるために、配線遅延による信号遅延が発生することになる。
【００３２】
以上説明した図１の楕円形の画素表示領域に対し、従来通りの信号配線内蔵回路を適用したのでは、額縁の領域が拡大する等の弊害が生じることとなる。この問題を解決するための構成を、図４〜図６に示す。
【００３３】
図４は、図２と同様に、図１における画素表示領域１０１，信号配線用内蔵回路１０４の湾曲配置部Ａの部分を拡大したものである。図面中央点線部よりも上側が信号配線用内蔵回路１０４，下側が画素表示領域１０１であること、画素表示領域１０１が直交配置した赤（Ｒ），緑（Ｇ），青（Ｂ）のサブ画素で構成されること、各サブ画素が走査配線
２０１，信号配線２０２，共通配線２０５に接続されることは図２と同様である。一方で、信号配線用の内蔵回路として、信号配線用内蔵回路モジュール３００を用いる点で異なる。図４に示すように信号配線用内蔵回路モジュール３００は、信号配線２０２の延伸方向（図４内における上下方向）に対して画素２００の間隔単位でモジュール化されている。即ち、信用配線用内蔵回路が上下方向に対して画素２００の間隔単位で分離されており、配線領域３０２及び回路領域３０３が画素２００の間隔単位で繰返し配置する構成となる。尚、配線領域３０２は、回路領域への入出力配線及びこれを迂回する配線の領域を示す。
【００３４】
更に、配線領域３０２と回路領域３０３との上下に所定の隙間を設けることにより、走査配線２０１，共通配線２０５の一方又は両方を、分離された回路領域３０３の間を通過させることが可能となる。ここで、図４において、配線領域３０２と回路領域３０３との上下に設けられた隙間は第１の別配線予約領域３０１，第２の別配線予約領域３０４として表されている。
【００３５】
図５は、図３における従来型信号配線内蔵回路３５０を、信号配線用内蔵回路モジュールに置き換えた構成である。信号配線用内蔵回路モジュール３００は、図５の上下方向に対して画素２００の間隔単位でモジュール化されており、また分離された内蔵回路ごとに隙間が設けられているため、走査配線２０１や共通配線２０５が内蔵回路間を通過できる構成である。これにより、走査配線２０１や共通配線２０５が迂回しなければならない領域を減少し、また配線遅延を防止することもできる。また、走査配線用引出し配線１０５として必要な面積も少なくすることが可能である。従って、信号配線用内蔵回路としては従来型よりも面積が大きくても、実使用時における額縁面積を、従来型内蔵回路使用時より小さくすることが可能である。尚、同じ配線駆動能力を持つとした場合（回路領域が同じである場合）、図２，図３の従来型信号配線内蔵回路３５０の配置面積は、本実施例における複数の信号配線用内蔵回路モジュール３００の配置面積よりも小さい。
【００３６】
図６は、本実施例における信号配線用内蔵回路１０４，画素表示領域１０１をより詳細に説明したものである。
【００３７】
画素表示領域１０１外縁が画素２００の直交配置に対して傾いているために、画素配列が途中から１行減っている。なお、本実施例における画素２００は通常の液晶表示装置と同じく、赤，緑，青の３サブ画素から構成されており、各サブ画素は、走査配線２０１，信号配線２０２，トランジスタ２０３，画素電極２０４，共通配線２０５，保持容量206から構成されている。
【００３８】
本実施例における信号配線用内蔵回路１０４では、ドライバ１０２から送られてきた信号を赤，緑，青の３サブ画素に接続されている信号配線２０２に振り分ける機能を持っている点では、通常の液晶表示装置と同じであるが、信号配線２０２の延伸方向（図２内では上下方向）に対して、画素２００の間隔単位で信号配線用内蔵回路１０４がモジュール化されていることが特徴である。
【００３９】
また、この信号配線用内蔵回路モジュール３００は、図２内では信号配線２０２の延伸方向に２個組み合わせて使用されており、各信号配線用内蔵回路モジュール３００は、第１の別配線予約領域３０１，回路領域への入出力配線及びこれを迂回する配線領域３０２，回路領域３０３，第２の別配線予約領域３０４から構成されていることが特徴である。
【００４０】
第１の別配線予約領域３０１は、この信号配線用内蔵回路モジュール３００を、画素
２００の横に隣接して配置した場合に、共通配線２０５が通過できるようにあらかじめ予約されている領域である。
【００４１】
回路領域への入出力配線及びこれを迂回する配線領域３０２内には回路領域３０３を駆動するための信号入出力配線３０２２と、それらの信号入出力配線３０２２を迂回する迂回配線３０２１が配置される。信号入出力配線３０２２は信号配線用内蔵回路モジュール３００が横に並んで配置されている場合には、自動的に接続され、信号を伝達する。一方、迂回配線３０２１は、上記信号入出力配線３０２２の信号の一部を回路領域３０３に伝えると同時に縦方向にも接続されるように構成されており、信号配線用内蔵回路モジュール３００が縦方向に並んで配置されている場合に、自動的に接続されるように配置されている。
【００４２】
回路領域３０３は信号配線用引出し配線１０３からの信号を各信号配線２０２に伝達もしくは切断するためのスイッチの役割を果たしている。どのサブ画素への信号かを決定するのは上記の信号入出力配線３０２２、及び迂回配線３０２１からの信号が決定する。
【００４３】
第２の別配線予約領域３０４は、この信号配線用内蔵回路モジュール３００を、画素
２００の横に隣接して配置した場合に、走査配線２０１が通過できるようにあらかじめ予約されている領域である。
【００４４】
以上のような構成とすることで、本実施例における信号配線用内蔵回路モジュール300は画素２００の横、及び縦に、隙間無く、隣接して配置することが可能であり、配置しただけでモジュール間の配線も自動的に接続されることになる。
【００４５】
また、本実施例では信号配線２０２の延伸方向に２個のモジュールを接続しているが、画素表示領域１０１が大きく、信号配線２０２に多くの画素２００が接続されている場合、上記の信号配線用内蔵回路モジュールを３個以上接続することで配線負荷にあわせた配線駆動能力とすることができる。この場合に於いても、モジュールを配置しただけでモジュール間の接続は完了する。
【００４６】
以上のように、非長方形外形の表示装置において、従来型の内蔵回路を用いた場合、画素表示領域からの配線引出しが、内蔵駆動回路部を通過できないため、回路部を外側に配置しなければならず、額縁領域が大きくなることになる。
【００４７】
また、引出された配線は、内蔵駆動回路部を大きく迂回するように配置され、回路部の外側を通ることになるため、さらに額縁面積が大きくなるとともに、配線距離が長くなることから配線遅延が発生することになる。さらに、内蔵駆動回路部間を接続する配線を、回路部外側に配置することによって、さらに額縁面積が増大することがあり、配線を配置する余地が少なく設計が困難になることがある。
【００４８】
これに対して、本実施例においては、信号配線用内蔵回路として、信号配線延伸方向に対して、画素間隔単位でモジュール化したものを用い、各モジュールは、回路領域と、その回路領域への入出力配線部と、前記入出力配線部を迂回する配線部と、別の配線を配置するための予約領域から構成されており、さらに、このモジュール化された信号配線用内蔵回路を、信号配線延伸方向に複数組み合わせて使用しているため、画素表示領域に隣接して配置することが可能であり、各配線をより短い経路でドライバと接続することが可能となる。
【００４９】
これにより、額縁面積が少なく、かつ配線遅延が少なく、また、設計が容易な表示装置を提供することができる。
【実施例２】
【００５０】
本実施例は、信号配線内蔵回路の構成だけでなく走査配線内蔵回路の構成をも示す点を除けば、実施例１と同様である。
【００５１】
図７は、図１における湾曲配置部Ａの拡大図であり、従来型信号配線内蔵回路３５０及び従来型走査配線内蔵回路４５０を使用した構成である。従来型走査配線内蔵回路４５０は本実施例における走査配線用内蔵回路モジュールより回路面積は小さいものの、内蔵回路の配置場所を画素に隣接できず、配線が冗長となる。また、従来型走査配線内蔵回路
４５０間を接続するために必要な配線を新たに配置することが必要となり、この結果額縁領域が拡大することとなる。
【００５２】
以上のように、図１の楕円形の画素表示領域に対し、従来通りの走査配線用内蔵回路を適用したのでは、額縁の領域が拡大する等の弊害が生じることとなる。この問題を解決するための構成を、図８に示す。
【００５３】
図８は、図１における湾曲配置部Ａの拡大図であり、画像を表示するための内蔵回路として、走査配線を駆動する走査配線駆動回路も画素表示領域近傍に内蔵している。
【００５４】
走査配線用内蔵回路モジュール４００は、走査配線延伸方向（図８内では横方向）に対して、画素間隔単位で機能毎に分割されたモジュールから構成されている。図８では、走査配線２０１への信号出力モジュール４０１（２画素単位分）とシフトレジスタモジュール４０２（３画素単位分）として示されている。
【００５５】
それぞれの画素単位モジュールは、第１の回路領域４０３と別の配線を配置するための別配線予約領域４０４，回路領域への入出力配線及びこれを迂回する配線領域４０５，第２の回路領域４０６によって構成されている。
【００５６】
これらの画素単位モジュールは、信号配線用内蔵回路モジュール３００と同じように、縦横に配置した場合でも、入出力配線やこれを迂回する配線によって自動的に配線接続がされるように構成されているが、信号配線用内蔵回路モジュール３００と異なり、走査配線用内蔵回路モジュール４００は機能別に２つに分かれており、それぞれに必要とされる入出力配線が異なるために、縦方向に隣接した別機能モジュール間での入出力配線は接続しないように、配置されている。
【００５７】
このような構成とすることで、信号配線用内蔵回路モジュール３００からの信号配線用引出し配線１０３は、走査配線用内蔵回路モジュール４００内の別配線予約領域を通過することができ、信号配線用内蔵回路モジュール３００の外側に走査配線用内蔵回路モジュール４００を隣接配置することができる。これにより、走査配線駆動用回路を内蔵した場合でも、さらに額縁を小さくすることが可能となる。
【００５８】
従来型信号配線内蔵回路３５０や従来型走査配線内蔵回路４５０を使用した場合における湾曲配置部Ａの画素表示領域周辺概要図を図８に示す。従来型走査配線内蔵回路４５０は本実施例における走査配線用内蔵回路モジュール４００より回路面積は小さいものの、内蔵回路の配置場所を画素に隣接できず、配線が冗長となることや、従来型走査配線内蔵回路４５０間を接続するために必要な配線を新たに配置することが必要であることから、本実施例における走査配線用内蔵回路モジュールを使用したほうが、額縁を小さくすることが可能となる。
【００５９】
なお、本実施例では、走査配線延伸方向に組み合わせる信号出力モジュール４０１の個数は２つであったが、信号配線用内蔵回路モジュールのように、走査配線に接続された画素数に対応して、個数を変化させることによって駆動能力を変化させることも可能である。
【００６０】
以上のように、本実施例では走査配線駆動回路を内蔵した場合においても、走査配線用内蔵回路モジュールとして、画素間隔単位で機能毎に分割されており、それぞれのモジュールが回路領域と、別配線予約領域４０４、及び入出力配線と迂回する配線領域４０５によって構成されているため、画素表示領域に隣接して配置することが可能であり、その場合に配線遅延を少なくすることが可能となる。これにより、額縁面積が少なく、かつ配線遅延が少なく、また、設計が容易な表示装置を提供することができる。
【図面の簡単な説明】
【００６１】
【図１】実施例１における表示装置の外形図を示す。
【図２】従来内蔵回路を用いた場合の画素表示領域周辺湾曲部の拡大概要図（２画素拡大）を示す。
【図３】従来内蔵回路を用いた場合の画素表示領域周辺湾曲部の拡大概要図（６画素拡大）を示す。
【図４】実施例１における画素表示領域周辺湾曲部の拡大概要図（２画素拡大）を示す。
【図５】実施例１における画素表示領域周辺湾曲部の拡大概要図（６画素拡大）を示す。
【図６】実施例１における画素表示領域周辺湾曲部の拡大図を示す。
【図７】実施例２における表示装置に従来内蔵回路を用いた場合の画素表示領域周辺湾曲部の拡大概要図（６画素拡大）を示す。
【図８】実施例２における画素表示領域周辺湾曲部の拡大概要図（６画素拡大）を示す。
【符号の説明】
【００６２】
１００…表示装置、１０１…画素表示領域、１０２…ドライバ、１０３…信号配線用引出し配線、１０４…信号配線用内蔵回路、１０５…走査配線用引出し配線、２００…画素、２０１…走査配線、２０２…信号配線、２０３…トランジスタ、２０４…画素電極、
２０５…共通配線、２０６…保持容量、３００…信号配線用内蔵回路モジュール、３０１…第１の別配線予約領域、３０２…配線領域、３０３…回路領域、３０４…第２の別配線予約領域、３５０…従来型信号配線内蔵回路、３５１…従来型信号配線内蔵回路の回路領域、３５２…入出力配線を接続するための配線、４００…走査配線用内蔵回路モジュール、４０１…信号出力モジュール、４０２…シフトレジスタモジュール、４０３…第１の回路領域、４０４…別配線予約領域、４０５…回路領域への入出力配線及びこれを迂回する配線領域、４０６…第２の回路領域、４５０…従来型走査配線内蔵回路、２０１１…無くなる行の画素に接続されていた走査配線、２０５１…無くなる行の画素に接続されていた共通配線、３０２１…迂回配線、３０２２…信号入出力配線。
【図１】
2008051908.tif 000003
【図２】
2008051908.tif 000004
【図３】
2008051908.tif 000005
【図４】
2008051908.tif 000006
【図５】
2008051908.tif 000007
【図６】
2008051908.tif 000008
【図７】
2008051908.tif 000009
【図８】
2008051908.tif 000010